(57)【要約】    【課題】組立式構造物の構築に際し、組立式構造物を構成する各種の部材を多様な角度をもって連続して連結し結合できるようにした組立式構造物用コネクタを提供する。    【解決手段】１つの中央連結部２０と、２つの斜面連結部４０からなる６つの単位部材１０が相互結合されてなる第１のコネクタＡと；この第１のコネクタＡの中央連結部２０または斜面連結部４０に結合されるベース１１０と、ベース１１０上に一体に形成された支持脚１３０、この支持脚１３０上に一体に形成された接続部１３４及び照明支持部１３２からなる第２のコネクタＢと；から構成される。  【選択図】  図９
2004162519.tif 000002
【特許請求の範囲】
【請求項１】
（ａ）６つの単位部材が互いに垂直して結合され、１８面の結合面を有するように構成された第１のコネクタであって、
結合孔を有するボス部がその一面に突設され、その両端部には、ネジ穴を有するヒンジ部が一体に形成された中央連結部；及び
前記中央連結部のヒンジ部と隔てられた中央連結部の他の両端部に所定の角度をもって傾斜して一体に形成され、その中央部には結合孔を有するボス部が中央連結部のボス部と同一の方向に突設され、その一端部には、ボルトが挿入される挿入孔を有する複数のヒンジ部が中央連結部のヒンジ部の両端部に同軸に位置するように隔てられている斜面連結部と；からなる前記第１のコネクタと；
（ｂ）第２のコネクタであって、
その一面の中央部に突設され、その中心部には第１のコネクタの結合孔に対応する結合孔が貫通している結合部と、この結合部の外周面に等間隔で隔てられて延在している多数の延在部と、この延在部の一側に結合部及び延在部より高めに円周方向に突設された突出部と、この突出部上に等間隔で形成された多数の凹み溝とを含むベースと；
前記ベースの他面上に等間隔で外向きにして傾斜して形成された支持脚と；
前記支持脚の一端部の外周面に一体に形成され、ジョイント部材が挿入されて係合する係止突部を有する接続部；及び
前記各支持脚の一端部の内周面にその外周面が接するように一体に形成され、照明手段を支持する照明支持部と；を備える前記第２のコネクタと；
を含んでなることを特徴とする組立式構造物用コネクタ。
【請求項２】
前記第１のコネクタの中央連結部と斜面連結部に形成されたボス部の外周面とボス部の反対側の連結部上には、単位部材の剛性を補強すると共に第２のコネクタの凹み溝に挿入され、前記第２のコネクタを第１のコネクタ上に位置固定させる垂直した多数のビード部が形成されることを特徴とする請求項１に記載の組立式構造物用コネクタ。
【請求項３】
前記第１のコネクタのボス部の反対側の中央連結部と斜面連結部に形成されたビード部の外側端部には、ビード部と共に単位部材の剛性を補強すると共に第２のコネクタの延在部が当接し、その内周面に突出部が内接して第２のコネクタの遊びを防止する円形突条と円弧突条がそれぞれ形成されたことを特徴とする請求項２に記載の組立式構造物用コネクタ。
【請求項４】
前記第１のコネクタの中央連結部の角部には、仕上げ材をネジ止めで張り付けるための仕上げタップ穴が形成されたことを特徴とする請求項１に記載の組立式構造物用コネクタ。
【請求項５】
前記第１のコネクタの中心に近接したボス部の結合孔の一端部と、斜面連結部に形成されたヒンジ部の挿入孔の外側端部には、ボルトの環状頭部をその内部に収容することで第１のコネクタの内部空間を最大限に確保できるようにする拡径孔が形成されたことを特徴とする請求項１に記載の組立式構造物用コネクタ。
【請求項６】
前記中央連結部に形成された拡径孔は、ボルトの環状頭部は回転自在にナットは回転不能に挿入されるようにすべく多角形状で形成されたことを特徴とする請求項５に記載の組立式構造物用コネクタ。
【請求項７】
前記斜面連結部の両側端は、その中央のボス部側に向けて緩やかに湾曲し陥没され、作業者の手や作業工具が第１のコネクタの内部に容易に進入できるようにした湾曲部で形成されることを特徴とする請求項１に記載の組立式構造物用コネクタ。
【請求項８】
前記第２のコネクタの結合孔には、ネジ止めの際、強力なネジ締付け力を有するようにすべくヘリコイルが組み込まれることを特徴とする請求項１に記載の組立式構造物用コネクタ。
【請求項９】
前記第２のコネクタの照明支持部には、この照明支持部の内周面と隔てられて挿入されて照明支持部上にネジ止めされる支持部材を備え、この支持部材は、ボルトにて押し付けられて固定されると共にその一面が開口していることを特徴とする請求項１に記載の組立式構造物用コネクタ。
【請求項１０】
前記支持部材の一面上には、照明手段の熱を放熱すべく多数の放熱口が貫通して形成されたことを特徴とする請求項９に記載の組立式構造物用コネクタ。
【請求項１１】
前記支持部材の一側には、前記放熱口から支持部材の一端部まで延びる切欠き部が形成されたことを特徴とする請求項１０に記載の組立式構造物用コネクタ。
【発明の詳細な説明】
【技術分野】
【０００１】
本発明は、組立式構造物用コネクタに関し、より詳しくは、組立式構造物の構築に際し、組立式構造物を構成する各種の部材を多様な角度をもって連続して連結し結合できるようにした組立式構造物用コネクタに関する。
【背景技術】
【０００２】
一般に、組立式構造物とは、多数の部材（以下、「トラス部材」と通称する）を相互結合して公演場、展示場、広告塔、及び造形物等といった分解組立式に構築した構造物を意味する。
【０００３】
かかる組立式構造物は、大概は軽くて堅固なアルミニウム素材からなる。
【０００４】
このような組立式構造物にあっては、多数のトラス部材が連結される矩形乃至は球形のコネクタが具備される（例えば、特許文献１及び特許文献２参照。）。
【特許文献１】韓国において本出願人が実用新案登録出願し登録維持決定を受けた（韓国実用新案）登録番号第２３４９３０号（出願番号：２０-２００１-０００７９３３号、出願日付：２００１.０３.２２.）の明細書
【特許文献２】韓国において本出願人が実用新案登録出願し登録維持決定を受けた（韓国実用新案）登録番号第２３４９７７号（出願番号：２０-２００１-０００９４６１号、出願日付：２００１.０４.０４.）の明細書
【発明の開示】
【発明が解決しようとする課題】
【０００５】
しかし、このようなコネクタは、六面、即ち、６方向（Ｘ、-Ｘ、Ｙ、-Ｙ、Ｚ、-Ｚ）に対してのみ結合面が形成され、これに連結される所定の部材が直角方向にしか結合されないことから、組立式構造物を構成するに当たって多くの制約が伴うという不具合があった。
【０００６】
そこで、本発明は、前記のような問題点を解決するためになされたものであって、その目的は、３面の結合面を有する単位部材を相互結合してなる第１のコネクタを構成し、この第１のコネクタに結合される第２のコネクタを備えて、各種のトラス部材を第２のコネクタを介して第１のコネクタ上に多様な角度をもって組み付けることができると共に、連続して連結し結合できるようにした組立式構造物用コネクタを提供することである。
【課題を解決するための手段】
【０００７】
前記した目的を達成するための本発明の組立式構造物用コネクタは、
（ａ）６つの単位部材が互いに垂直して結合され、１８面の結合面を有するように構成された第１のコネクタであって、
結合孔を有するボス部がその一面に突設され、その両端部には、ネジ穴を有するヒンジ部が一体に形成された中央連結部；及び
前記中央連結部のヒンジ部と隔てられた中央連結部の他の両端部に所定の角度をもって傾斜して一体に形成され、その中央部には結合孔を有するボス部が中央連結部のボス部と同一の方向に突設され、その一端部には、ボルトが挿入される挿入孔を有する複数のヒンジ部が中央連結部のヒンジ部の両端部に同軸に位置するように隔てられている斜面連結部と；からなる前記第１のコネクタと；
（ｂ）第２のコネクタであって、
その一面の中央部に突設され、その中心部には第１のコネクタの結合孔に対応する結合孔が貫通している結合部と、この結合部の外周面に等間隔で隔てられて延在している多数の延在部と、この延在部の一側に結合部及び延在部より高めに円周方向に突設された突出部と、この突出部上に等間隔で形成された多数の凹み溝とを含むベースと；
前記ベースの他面上に等間隔で外向きにして傾斜して形成された支持脚と；
前記支持脚の一端部の外周面に一体に形成され、ジョイント部材が挿入されて係合する係止突部を有する接続部；及び
前記各支持脚の一端部の内周面にその外周面が接するように一体に形成され、照明手段を支持する照明支持部と；を備える前記第２のコネクタと；
を含んでなることを特徴とする。
【０００８】
すなわち、前記した目的を達成するための本発明の組立式構造物用コネクタは、１つの中央連結部と、２つの斜面連結部からなる６つの単位部材が相互結合されてなる第１のコネクタと；この第１のコネクタの中央連結部または斜面連結部に結合されるベースと、ベース上に一体に形成された支持脚、この支持脚上に一体に形成された接続部及び照明支持部からなる第２のコネクタと；から構成され、各種の多数のトラス部材を多様な角度をもって連続して連結し所望する構造物を自由自在に構築できるようにしたことを特徴とする。
【発明の効果】
【０００９】
以下で説明するように、６つの中央連結部と、１２つの斜面連結部とからなる第１のコネクタと、これに連結される第２のコネクタを介して、各種の多数のトラス部材を多様な角度をもって連続して連結し、所望する構造物を自由自在に構築できるという長所がある。
【発明を実施するための最良の形態】
【００１０】
以下、本発明の好適な実施の形態を添付した図面を参照して詳細に説明する。
【００１１】
添付した図１乃至図１１は、本発明にかかる組立式構造物用コネクタを示す図である。
【００１２】
同図に示すように、本発明にかかる組立式構造物用コネクタは、第１のコネクタＡと第２のコネクタＢに大別されてなる。
【００１３】
まず、図１乃至図５及び図９乃至図１１を参照して前記第１のコネクタＡを説明すると、この第１のコネクタＡは、３つの結合面を有する６つの単位部材１０が互いに垂直して結合されてなる。
【００１４】
前記単位部材１０は、更に、１つの中央連結部２０と、２つの斜面連結部４０とからなり、この斜面連結部４０は、中央連結部２０の両側端部において互いに向かい合う方向に約４５°に傾斜して一体に形成される。
【００１５】
前記のように形成された中央連結部２０と斜面連結部４０は、その一面が第２のコネクタＢに結合されるように段差付けられて陥没し、その中央部には、貫通した結合孔２４、４４を有するボス部２２、４２が中央連結部２０と斜面連結部４０の他面に突設される。
【００１６】
また、前記中央連結部２０のまた他の両側端、即ち、中央連結部２０に形成された斜面連結部４０と直交する方向に両側端部には、ネジ穴３２が穿孔されているヒンジ部３０が一体に形成され、このヒンジ部３０に対応する斜面連結部４０の一端部上には、ボルト６０が挿入される挿入孔５２が穿孔されている複数のヒンジ部５０が一体に形成される。
【００１７】
前記ヒンジ部５０は、中央連結部２０のヒンジ部３０に対応する幅をもって隔てられ、中央連結部２０のヒンジ部３０の両端部に位置して備えられる。
【００１８】
前記中央連結部２０と斜面連結部４０に形成されたボス部２２、４２の結合孔２４、４４の一端、即ち、第１のコネクタＡの中心寄りの一端部と、斜面連結部４０に形成されたヒンジ部５０の挿入孔５２の一端、即ち、外側端部には、結合孔２４、４４と挿入孔５２より大径を有する拡径孔２４ａ、４４ａ、５４が形成され、その内部にボルト２００、６０を頭部を完全に収容して、第１のコネクタＡの内部空間を最大限に確保する。
【００１９】
なお、前記ボルト２００、６０は、その頭部が円柱状を有する締付けボルトであることが好ましい。
【００２０】
そして、前記中央連結部２０の拡径孔２４ａは、ボルト２００の丸状頭部は回転自在に挿入され、ナット２１０は回転不能に挿入されるようになった多角形状で形成され、なお、ナット２１０は通常、六角断面形状で形成されるため、前記拡径孔２４ａも六角形状で形成されることが好ましく、斜面連結部４０の拡径孔４４ａは、円形断面で形成されることが好ましい。
【００２１】
これは、前記第１のコネクタＡ間の結合の際、一方の第１のコネクタの拡径孔２４ａにはボルト２００が挿入され、他方の第１のコネクタの拡径孔２４ａにはナット２１０が回転不能に挿入固定されて結合され、この時、前記ボルト２００を拡径孔２４ａ内に回転不能に挿入されたナット２１０に容易に締付けるためである。
【００２２】
そして、前記中央連結部２０と斜面連結部４０のボス部２２、４２の外周面と、このボス部２２、４２と反対側の連結部２０、４０上には、単位部材１０の剛性を補強すべく垂直した多数のビード部２６、４６が形成される。
【００２３】
前記ビード部２６、４６は、９０°の間隔で放射状に形成され、略“＋”字形をなし、単位部材１０の剛性の補強以外にも、第２のコネクタＢの結合の際、この第２のコネクタＢの位置を仮止めして結合を容易にする。
【００２４】
また、ビード部２６、４６の外側端には、多数のビード部２６、４６を連結する円形突条２８と、円弧突条４８がそれぞれ中央連結部２０と斜面連結部４０の一面、即ち、ボス部２２、４２の反対面上に形成される。
【００２５】
このように形成された円形突条２８と、円弧突条４８は、前記ビード部２６、４６と同じ機能を有する。即ち、ビード部２６、４６と共に単位部材１０の剛性を補強し、第２のコネクタＢの結合の際、結合前の第２のコネクタＢを単位部材１０上に仮止めして結合を容易にする。
【００２６】
特に、前記ビード部２６、４６は、第２のコネクタＢの単位部材１０上への位位置固定が主な役割であり、円形突条２８及び円弧突条４８は、位置固定された第２のコネクタＢの遊びを防止することが主な役割である。
【００２７】
これは、後述する第２のコネクタＢの突出部１２０が前記第１のコネクタＡの円形突条２８及び円弧突部４８の内周面に内接することで、第２のコネクタＢが第１のコネクタＡ上において遊びが防止された状態で組み付けられる。
【００２８】
因みに、図１０の下部に拡大して示す図面のうちの点線で示す部分は、第２のコネクタＢの突出部１２０上に形成された凹み溝１２２を示し、この凹み溝１２２の位置から、前記突出部１２０が円形突条２８及び円弧突条４８上でこれに内接していることが分かる。
【００２９】
一方、前記中央連結部２０の角部には、組立式構造物の仕上げ材、即ち、ガラスやアクリル板等からなる仕切りが設置できるように仕上げタップ穴３４が形成される。
【００３０】
そして、前記斜面連結部４０の両側端は、その中央部のボス部４２に向けて湾曲して陥没された湾曲部４０ａで形成され、作業者の手や作業工具等が第１のコネクタＡの内部に容易に進入できるようになる。
【００３１】
従って、前記のように構成された第１のコネクタＡは、６つの単位部材１０が相互垂直して結合され、１８面の結合面を有するように形成される。
【００３２】
一方、前記のように構成される第１のコネクタに結合される第２のコネクタを図６乃至図１１を参照して説明すると、ベース１１０と、支持脚１３０と、接続部１３４と、照明支持部１３２、及び支持部材１４０とからなる。
【００３３】
前記第２のコネクタＢのベース１１０は、円版状で形成される。このようなベース１１０の一面の中央部には、第１のコネクタＡの結合孔２４、４４に対応する結合孔１１４を有する円柱状の結合部１１２が突設される。
【００３４】
また、前記結合部１１２の結合孔１１４には、強いネジ締付け力を有するようにヘリコイル１１６が組み込まれる。これは、組立式構造物の重量を軽量化するために構造物を形成する第１のコネクタＡと第２のコネクタＢなどの部品がアルミニウム材質で形成されるところ、構造物の頻繁な組立と解体による第２のコネクタＢのネジ部の破損を防止すると共に、堅固な締付け力を有するようにするために備えられたものである。
【００３５】
そして、前記結合部１１２の外周面とベース１１０の内周面との間には、これらを連結する多数の延在部１１８が等間隔で隔てられて肉厚に形成され、この延在部１１８には、第１のコネクタＡの円形突条２８及び円弧突条４８が当接する。
【００３６】
一方、本実施の形態では、前記延在部１１８が９０°の等間隔で隔てられて４つ設けられていることを一例として示したが、この個数と間隔は当業者であれば適宜変更可能である。
【００３７】
前記延在部１１８の一側には、その外周面が第１のコネクタＡの円形突条２８及び円弧突条４８に内接するようにして円周方向に突出部１２０が形成され、この突出部１２０は、結合部１１２及び延在部１１８より高めに突設される。
【００３８】
そして、前記突出部１２０上には、第１のコネクタＡのビード部２６、４６が挿入されて係止される多数の凹み溝１２２が等間隔で隔てられて形成される。
【００３９】
一方、本実施の形態では、前記凹み溝１２２が４５°の等間隔で隔てられて８つ形成されたことをその一例に挙げて説明しているが、本発明は、これに限定或いは局限されるものではない。
【００４０】
前記のように形成されたベース１１０の反対面には、９０°の等間隔で隔てられ、その端部が外側に向けて傾斜した支持脚１３０が形成される。
【００４１】
前記支持脚１３０の一端部の外周面上には、中空の管からなる接続部１３４が一体に形成され、その内周面には、接続部１３４に挿入されたジョイント部材３００が係止するするように係合突部１３６が突設される。
【００４２】
因みに、図９乃至図１０を参照してジョイント部材３００を簡略に説明すると、前記ジョイント部材３００は、分離自在な両キャップ３００ａ、３００ｂが相互接合されてなる。
【００４３】
前記ジョイント部材３００の一方のキャップ３００ａの中央部には、調整ボルト３０４が設けられ、この調整ボルト３０４の端部が他方のキャップ３００ｂの内面に接し、調整ボルト３０４を締めたり緩めたりすることにより両キャップ３００ａ、３００ｂの直径を縮めたり広げたりする。
【００４４】
そして、前記ジョイント部材３００をなす両キャップ３００ａ、３００ｂの外周面の両端部には、接続部１３４の係止突部１３６に対応する係合溝３０２が形成される。
【００４５】
ここで、前記ジョイント部材３００は、両キャップ３００ａ、３００ｂの直径が完全に縮小された時の外径が接続部１３４の内径より小さく設計される。
【００４６】
一方、前記各支持脚１３０の一端部の内周面には、その外周面が接するように一体に形成され、照明手段（図示せず）を支持するようになった環状の照明支持部１３２が形成される。
【００４７】
前記照明支持部１３２の外周面上には、９０°の間隔で隔てられたネジ穴１３２ａが形成され、このネジ穴１３２ａには、ボルト１３８がネジ止めされる。
【００４８】
また、前記照明支持部１３２には、その一面が開口した支持部材１４０が内挿する。
【００４９】
前記支持部材１４０は、その開口部がベース１１０に向かうように照明支持部１３２に内挿し、照明支持部１３２に設けられたボルト１３８に押し付けられて照明支持部１３２の内周面と離れた状態で固定される。
【００５０】
前記のように組み込まれた支持部材１４０の一面、即ち、開口部の反対面上には、照明手段からの熱を放熱すべく多数の放熱口１４２が円周方向に等間隔で貫通形成される。
【００５１】
そして、前記一方の放熱口１４２から支持部材１４０の開口部までは、照明手段のプラグ及び電線等を容易に引き出して配線できるようにするための切欠き部１４４が形成される。
【００５２】
前記のように構成される本発明の組立式構造物用コネクタは、第１のコネクタＡを組み立てた後、この第１のコネクタＡに第２のコネクタＢを含む残りのトラス部材４００を組み付けて一つの構造物として構築する。
【００５３】
まず、前記第１のコネクタＡの組立は、１つの中央連結部２０と、この中央連結部２０の両端に一体に形成された２つの斜面連結部４０からなる６つの単位部材１０を互いに垂直して結合する。
【００５４】
より詳しく説明すると、単位部材１０の中央連結部２０に形成された一方のヒンジ部３０に他の単位部材１０の斜面連結部４０に形成されたヒンジ部５０を同軸にして一致させる。
【００５５】
そして、斜面連結部４０のヒンジ部５０に穿孔された拡径孔５４と挿入孔５２にボルト６０を順次に挿通し、このボルト６０を中央連結部２０のヒンジ部３０に穿孔されたネジ穴３２にネジ止めし、中央連結部２０と斜面連結部４０とを結合する。
【００５６】
この時、前記ボルト６０は締付けボルトであって、その頭部が斜面連結部４０の拡径孔５４内に完全に挿入されて外部に突出しないため、周辺部品との干渉を回避でき、また第１のコネクタＡの内部空間を極大化することができるようになる。
【００５７】
そして、基準となった単位部材１０の中央連結部２０の他方のヒンジ部３０にまた他の単位部材１０の斜面連結部４０に形成されたヒンジ部５０を前記と同様な方法で連結して結合する。
【００５８】
したがって、残りの単位部材１０も前記と同様な方法で継続して結合すると、６つの中央連結部２０と、１２つの斜面連結部４０を有する１つの第１のコネクタＡが完成する。
【００５９】
一方、前記のようにして組み立てられた第１のコネクタＡに図９及び図１０に示したように、第２のコネクタＢを結合して連結する。
【００６０】
これをより詳しく説明すると、前記第２のコネクタＢをなすベース１１０の突出部１２０上に形成された凹み溝１２２に第１のコネクタＡの中央及び斜面連結部２０、４０のビード部２６、４６を挿入する。
【００６１】
そうすると、前記ベース１１０の延在部１１８上に円形突条２８、及び円弧突条４８が当接すると共に、ベース１１０の突出部１２０が円形突条２８及び円弧突条４８の内周面に内接することで、第２のコネクタＢが第１のコネクタＡ上での遊びが防止された状態となり、安定して仮止めされる。
【００６２】
以降、前記第１のコネクタＡの内側からボルト２００を第１のコネクタＡの結合孔２４、４４と、第２のコネクタＢの結合孔１１４に順次に挿通させてネジ止めする。
【００６３】
そうすると、前記ボルト２００は、第１のコネクタＡの拡径孔２４ａ、４４ａにより容易に回転しながら、第２のコネクタＢの結合孔１１４内に組み込まれたヘリコイル１１６にネジ止めされて強い締付け力を保持するようになる。
【００６４】
そして、前記のように第１のコネクタＡと第２のコネクタＢとを結合した後は、第２のコネクタＢの照明支持部１３２に支持部材１４０の開口部がベース１１０に向かうようにして挿入した後、照明支持部１３２のネジ穴１３２ａにボルト１３８をそれぞれネジ止めすると、このボルト１３８の端部が支持部材１４０の外周面上に当接して押し付けることで、支持部材１４０を照明支持部１３２の内周面と隔てられた状態で固定させるようになる。
【００６５】
次いで、前記のように結合された第２のコネクタＢの接続部１３４に多様なトラス部材をジョイント部材３００で連結して結合し、本実施の形態では、前記トラス部材をその内部に照明手段が配されるアクリル筒４０２を有するトラス部材４００にして示しており、このトラス部材４００のアクリル筒４０２は、照明支持部１３２に固定された支持部材１４０上で支持される。
【００６６】
また、前記トラス部材４００のアクリル筒４０２内に配される照明手段のプラグと電線は、支持部材１４０の切欠き部１１４を通って配線され、照明手段から発生する熱は、多数の放熱口１４２から全て外部に放熱されることにより、アクリル筒４０２内の温度上昇を未然に防止できるようになる。
【００６７】
一方、前記第２のコネクタＢとトラス部材４００とを連結するジョイント部材３００は、その一端が第２のコネクタＢの接続部１３４に挿入されて固定され、他端は、トラス部材４００の接続ロッド４０４に挿入されて固定される。
【００６８】
即ち、その両端部がそれぞれ第２のコネクタＢの接続部１３４と、トラス部材４００の接続ロッド４０４に挿入されたジョイント部材３００は、その一方のキャップ３００ａの中央部に設けられた調整ボルト３０４を締めることによりジョイント部材３００をなす両キャップ３００ａ、３００ｂが拡径し、この両キャップ３００ａ、３００ｂの外周面に形成された係合溝３０２に接続部１３４内の係止突部１３６と接続ロッド４０４内の係止突部４０６がそれぞれ係合して固定される。
【００６９】
また、前記のようにして固定されたジョイント部材３００の分離時は、調整ボルト３０４を逆回転して緩めると、ジョイント部材３００をなす両キャップ３００ａ、３００ｂの直径が縮小し、両キャップ３００ａ、３００ｂの係合溝３０２と接続部１３４の係止突部１３６及び接続ロッド４０４の係止突部４０６との結合が解除して分離可能になる。
【００７０】
従って、前記のような方法で結合される第１のコネクタＡと第２のコネクタＢにより多種のトラス部材を連続的に連結して結合可能になるため、多様な形態の組立式構造物を具現することができるようになる。
【００７１】
そして、このようにして設けられた第１のコネクタＢの照明支持部１３２上には、支持部材１４０を備えていない状態で、照明手段を直接配設することもできる。
【００７２】
また、前記第１のコネクタＡは、図１１に示すように、第１のコネクタＡ同士でも連結可能にしているところ、一方の第１のコネクタの拡径孔２４ａにはボルト２００を挿通し、反対側の第１のコネクタＡの拡径孔２４ａにはナット２１０を回転不能に収めることで、第１のコネクタＡ同士を簡便に結合固定できる。
【００７３】
一方、前記のように構築される組立式構造物は、第１のコネクタＡの６つの中央連結部２０と、４５°をなして傾斜した１２つの斜面連結部４０をもって多様な形態の構造物を構築することができるようになる。
【００７４】
また、前記のようにして構造物を構築するに当たって、斜面連結部４０の湾曲部４０ａにより第１のコネクタＡ内への作業者の手や作業工具及び電球類等といったその他の部品の挿入が容易になり、多様な構造物が構築できると共にこれに係る作業性が向上する。
【００７５】
一方、前記のような作業を通じて構造物の骨組を完成した後、構造物上にガラスやアクリル板等のような仕切りの仕上げ材を設ける時は、第１のコネクタＡの中央連結部２０上に形成された仕上げタップ穴３４に仕上げ材をネジ止めして構造物を完成する。
【図面の簡単な説明】
【００７６】
【図１】図１は本発明にかかる組立式構造物用コネクタのうちの第１のコネクタを示す斜視図である。
【図２】図２（ａ）は本発明にかかる第１のコネクタをなす単位部材の正面斜視図であり、図２（ｂ）は本発明にかかる第１のコネクタをなす単位部材の正面図である。
【図３】図３（ａ）は本発明にかかる第１のコネクタをなす単位部材の背面斜視図であり、図３（ｂ）は本発明にかかる第１のコネクタをなす単位部材の背面図である。
【図４】図４は本発明にかかる第１のコネクタの単位部材を示す側断面図である。
【図５】図５は本発明にかかる第１のコネクタをなす単位部材間の結合状態を示す分離図である。
【図６】図６は本発明にかかる組立式構造物用コネクタのうちの第２のコネクタを示す平面斜視図である。
【図７】図７は本発明にかかる第２のコネクタをなす単位部材の底面斜視図である。
【図８】図８は本発明にかかる第２のコネクタをなす単位部材の一部切欠き断面図である。
【図９】図９は本発明にかかる第１のコネクタと第２のコネクタとが結合される状態を示す分離斜視図である。
【図１０】図１０は本発明にかかる第１のコネクタと第２のコネクタとが結合される状態を示す結合断面図である。
【図１１】図１１は本発明にかかる第１のコネクタ間の結合状態を示す分離図である。
【符号の説明】
【００７７】
１０…単位部材 
２０…中央連結部
２２、４２…ボス部
２４、４４…第一のコネクタの結合孔
２４ａ、４４ａ、５４…拡径孔
２６、４６…ビード部
２８…円形突条
３０、５０…ヒンジ部
３２…ネジ穴
３４…仕上げタップ穴
４０…斜面連結部
４０ａ…湾曲部
４８…円弧突条
５２…挿入孔
２００、６０…ボルト
１１０…ベース
１１２…結合部
１１４…第２のコネクタの結合孔
１１６…ヘリコイル
１１８…延在部
１２０…突出部
１２２…凹み溝
１３０…支持脚
１３２…照明支持部
１３４…接続部
１３６…係止突部
１３８…ボルト
１４０…支持部材
１４２…放熱口
１４４…切り欠部
２１０…ナット
３００…ジョイント部材
Ａ…第１のコネクタ
Ｂ…第２のコネクタ
【図１】
2004162519.tif 000003
【図２】
2004162519.tif 000004
【図３】
2004162519.tif 000005
【図４】
2004162519.tif 000006
【図５】
2004162519.tif 000007
【図６】
2004162519.tif 000008
【図７】
2004162519.tif 000009
【図８】
2004162519.tif 000010
【図９】
2004162519.tif 000011
【図１０】
2004162519.tif 000012
【図１１】
2004162519.tif 000013